(57)【要約】【課題】表示内容が視認しやすい表示装置を提供する。【解決手段】表示装置１は、指標が表記された計器部６０と、後方からの光を透過する光透過部２３とを有するカバープレート２０と、計器部６０上を回転し、指標を指し示す指針１５と、光透過部２３の後方に配置され、光透過部２３を介して画像を表示する表示器３０と、を備える。表示装置１を平面視すると、計器部６０は、表示器３０が光を射出する表示部の一部と重なった重なり領域を有し、カバープレート２０と表示器３０との間であり、少なくとも光透過部２３の範囲にわたって介在する透明樹脂４０により、カバープレート２０と表示器３０とが密着している。【選択図】図２
2014163755.tif 000002
【特許請求の範囲】
【請求項１】
指針と、
前記指針によって指示される指標が表記された計器部であって前記指針とともに指針式計器を構成する計器部と、光を透過する光透過部とを有するカバープレートと、
前記光透過部の後方に配置され、前記光透過部を介して画像を表示する表示領域を有する表示器と、を備え、
平面視したときに、前記計器部は、前記表示領域の一部と重なった重なり領域を有し、
前記光透過部と前記表示器の前記表示領域とは、透明樹脂を介して密着している、
ことを特徴とする表示装置。
【請求項２】
前記重なり領域と前記表示器の前記表示領域との間には、前記透明樹脂とは異なるスペーサが介在していることを特徴とする請求項１に記載の表示装置。
【請求項３】
前記重なり領域の少なくとも一部は、遮光性を有することを特徴とする請求項２に記載の表示装置。
【請求項４】
前記重なり領域と前記表示器の前記表示領域との間には、前記透明樹脂とは異なる遮光性のスペーサが介在しており、
前記計器部は、前記カバープレートの側面から入射する光を導光して前記計器部の一部分から出射する、
ことを特徴とする請求項１に記載の表示装置。
【請求項５】
前記重なり領域と前記表示器の前記表示領域との間には、前記透明樹脂とは異なる遮光性のスペーサが介在しており、
前記計器部と前記スペーサとの間に、透光性を有する導光板が配設され、
前記導光板で導光された光は、前記計器部の一部分から出射する、
ことを特徴とする請求項１に記載の表示装置。
【請求項６】
前記計器部は、前記指標を取り囲むように立体的に形成されたリング部を有し、
前記導光板は、前記リング部が形成されていることにより生じた前記カバープレート後方の凹部に収容されている、
ことを特徴とする請求項５に記載の表示装置。
【請求項７】
前記導光板の後方の面は、前記カバープレートの前記光透過部の後方の面よりも前方にあるか、あるいは、前記光透過部の後方の面と同一の位置にあることを特徴とする請求項６に記載の表示装置。
【請求項８】
前記表示器における表示領域は、矩形であり、
前記計器部は、略円形である、
ことを特徴とする請求項１〜７のいずれか１項に記載の表示装置。
【発明の詳細な説明】
【技術分野】
【０００１】
本発明は、車両等に搭載されて種々の情報を表示する表示装置に関する。
【背景技術】
【０００２】
車両等に搭載されて、車両状態や走行状況等の情報を表示する表示装置としては種々のものが開発され、製品化されている。例えば、特許文献１に開示された表示装置がある。
【０００３】
この表示装置は、２つのリング状のメータを有するとともに、この２つのメータの間に各種画像を表示可能な表示領域を有している。各メータを区分けするメータ枠は、表示領域において切り欠けられている。その表示領域に、切り欠かれたメータ枠を接続画像によって表示することによって、メータ全体としての印象を変えることができる。
【先行技術文献】
【特許文献】
【０００４】
【特許文献１】特開２０１２−３２２０９号公報
【発明の概要】
【発明が解決しようとする課題】
【０００５】
特許文献１に記載の表示装置は、表示領域に、切り欠かれたメータ枠を接続画像によって表示する。しかしながら、表示領域の接続画像とメータ枠との間で一体感が乏しく、表示装置を斜めから見た場合には段差が見えるといった問題点があった。この問題点を解消する方法として、表示領域の接続画像とメータ枠とを透明部材で一体的に成形し（メータ枠は、透明部材を塗装するなどして形成される。）、段差無く接続する方法が考えられる。しかしながら、表示装置と透明部材との間に空気層が存在することにより、透明部材の表面で外光反射が起き、表示領域の表示が見えにくくなるという課題がある。
【０００６】
本発明は上記課題に鑑みてなされたものであり、表示内容が視認しやすい表示装置を提供することを目的とする。
【課題を解決するための手段】
【０００７】
上記目的を達成するため、本発明に係る表示装置は、指針と、前記指針によって指示される指標が表記された計器部であって前記指針とともに指針式計器を構成する計器部と、光を透過する光透過部とを有するカバープレートと、前記光透過部の後方に配置され、前記光透過部を介して画像を表示する表示領域を有する表示器と、を備え、平面視したときに、前記計器部は、前記表示領域の一部と重なった重なり領域を有し、前記光透過部と前記表示器の前記表示領域とは、透明樹脂を介して密着している、ことを特徴とする。
【発明の効果】
【０００８】
本発明によれば、表示内容が視認しやすい表示装置を提供することができる。
【図面の簡単な説明】
【０００９】
【図１】本発明の第１の実施形態に係る表示装置の平面図。
【図２】図１中の矢視ＩＩ−ＩＩで示した本発明の第１の実施形態に係る表示装置の断面図。
【図３】本発明の第１の実施形態に係る表示装置の表示器を示した断面図。
【図４】本発明の第１の実施形態に係る表示装置のカバープレートと表示器とを接着するための２つの方法（（ａ）、（ｂ））を示した断面図。
【図５】本発明の第１の実施形態に係る表示装置の表示器の他の例を示した図であり、（ａ）は平面図、（ｂ）は部分斜視図。
【図６】本発明の第１の実施形態に係る表示装置のカバープレートと表示器とを接着するための他の方法を示した断面図。
【図７】表示装置のカバープレートに導光指標表示部を用いた本発明の第１の実施形態に係る表示装置の部分断面図。
【図８】本発明の第２の実施形態に係る表示装置を示した部分断面図。
【図９】本発明の第２の実施形態に係る表示装置の他の例を示した部分断面図。
【図１０】本発明の第３の実施形態に係る表示装置を示した部分断面図。
【発明を実施するための形態】
【００１０】
以下、本発明の実施形態に係る表示装置を図面を参照して説明する。図１は、本発明の第１の実施形態に係る表示装置の平面図を示している。図に示すように、この表示装置１は、カバープレート２０上に形成された２つのリング状指標表示部２２を有している。それぞれのリング状指標表示部２２は、透明なカバープレート２０に車両状態や走行状況を表示するための目盛り等からなる指標２２ａや指針式計器を画定する輪郭が印刷などによって表記されることによって形成されている。このリング状指標表示部２２と、リング状指標表示部２２の中央を中心に回転する指針１５が指し示す位置とを視認することにより（つまり、指針１５が指示する指標２２ａの位置を視認することにより）、運転者は車両状態や走行状況を確認することができる。リング状指標表示部２２は、その輪郭によって指針式計器を画定するものである。つまり、この実施の形態では、リング状指標表示部２２、及び指針１５は、指針式計器の計器部６０を構成する。なお、計器部６０の外形は、略円形状であるとよい。略円形状は、楕円形状、この実施の形態の円形状及び円形状に近い形状をいう。また、計器部６０の輪郭は、カバープレート２０上に具体的に描かれていなくてもよい。このような場合、計器部６０は、指標及びその周辺の領域（例えば、透明ではなく所定の色が付された領域）から構成されるものとする。また、カバープレート２０の２つのリング状指標表示部２２の間には、背後からの光を透過する光透過部２３が形成されている。運転者は、この光透過部２３を介して、後述する表示器３０が表示する画像を視認することができる。
【００１１】
次に、表示装置１の構成部品についてより詳細に説明する。図２は、図１中の矢視ＩＩ−ＩＩで示した本発明の第１の実施形態に係る表示装置１の断面図である。図に示すように、筐体１０、見返し１１、及び透明窓１２が組み合わされることで、表示装置１の外形が形成されるとともに、その内部に種々の構成部品を収容するための空間が形成されている。
【００１２】
筐体１０は、例えばポリプロピレン等の成形樹脂からなり、後述する回路基板１４や中ケース１３などを保持するとともに、外的衝撃や塵埃などからこれらを保護する。なお、筐体１０には、表示装置１の駆動時に回路基板１４などから発生する熱を逃がすための貫通穴が形成されていても良い。
【００１３】
見返し１１は、例えばポリプロピレン等の成形樹脂からなり、後述する透明窓１２を保持する。見返し１１は、表示装置１内部に太陽光が入射するのを抑制する。これにより、表示装置１の視認性・判読性を確保することができる。
【００１４】
透明窓１２は、例えばアクリルガラス等の透明な成形樹脂からなり、表示装置１の内部に収容された各部材を衝撃や塵埃などから保護する。透明窓１２は、湾曲した形状を有する。これにより、運転者の顔が映り込みを抑制することができる。なお、表示装置１の視認性を高めるために、透明窓１２の表面に反射防止層を形成してもよい。また、透明窓１２の耐衝撃性の向上を目的として、透明窓１２の表面に防傷層を形成してもよい。
【００１５】
このようにして外形が形成された表示装置１の内部には、中ケース１３、回路基板１４、指針１５、カバープレート２０、表示器３０等の各種構成部品が収容されている。
【００１６】
中ケース１３は、例えばポリプロピレン等の成形樹脂からなる。中ケース１３は、筐体１０に保持されて、後述する回路基板１４やカバープレート２０等を保持する。
【００１７】
回路基板１４は、例えばエポキシ系樹脂からなり、表示装置１を動作する為のマイコン、後述する指針１５などを駆動する指針駆動手段１６、及び表示装置１の照明用ＬＥＤなどが搭載されている。回路基板１４には、あらかじめ決められた電気回路に基づき銅箔パターンが配設されている。なお、回路基板１４にガラス繊維を織り交ぜて、温度変化や、衝撃に対する信頼性の向上を図っても良い。また、回路基板１４に配設する銅箔パターンを、両面に形成したり、あるいは、階層構造となるように形成して回路パターンの省スペース化を図ってもよい。
【００１８】
指針１５は、例えばポリカーボネートやアクリルガラス等の透明な成形樹脂からなる。指針１５は、回路基板１４に搭載されている指針駆動手段１６の回転軸に固定されている。指針駆動手段１６の駆動により、指針１５は回転軸を中心にして回転運動する。なお、指針１５は、指標等が印刷されたリング状指標表示部２２上を回転する。これにより、運転者は、指針１５が指し示す箇所を確認することにより車両状態を読み取ることができる。なお、回路基板１４に搭載されるＬＥＤにより、指針１５を発光させるようにしてもよい。また、指針１５の針部にホットスタンプ等による反射層を形成して、発光輝度を高めるように配慮してもよい。
【００１９】
カバープレート２０は、回路基板１４や、表示器３０などを覆ってカバーする板状部材であり、例えばポリカーボネート等から形成される光透過性を有する板状部材をベースとしている。この光透過性を有する板状部材の裏面または表面に、スクリーン印刷、塗装などの適宜の方法によって、光を透過しない光不透過部２１と、車両状態等を表示する目盛り、数字、警告表示等が印刷されたリング状指標表示部２２（この実施の形態では、この部分も光を透過しない部分である）と、が形成されている。なお、印刷が施されていないそれ以外の領域は、光を透過する光透過部２３として機能する。
【００２０】
表示器３０は、例えば、ＴＦＴ（thin film transistor）モジュールからなり、車両状態、走行状況に応じた様々な情報に関する画像を表示部３０ａ（表示領域）に表示する。画像に関する光は光透過部２３を透過し、運転者への情報提供、注意喚起が行われる。表示器３０は、中ケース１３の窪み内に収容され固定されている。なお、表示器３０は、単色表示であるかフルカラー表示であるかは問わない。また、表示部３０ａのエリアサイズも特に限定されるものではない。好ましくは、表示部３０ａのエリアサイズを、３〜７インチ程度とするのがよい。なお、この実施の形態では、表示器３０や表示部３０ａを平面視したとき（運転者などのユーザから見た場合）の表示器３０や表示部３０ａの形状が矩形となっている。なお、表示器３０は、ＴＦＴモジュールに限定されるものではなく、セグメントタイプの液晶表示装置や有機発光ダイオードを用いたものであってもよい。
【００２１】
図３は、本発明の第１の実施形態に係る表示装置１の表示器３０を示した断面図である。図に示すように、表示器３０は、図中下方から導光板３１、光学シート３２、液晶アレイ３３、偏光板３４の順に積層された積層体と、この積層体の周囲を覆う金属ベゼル３５とから構成されている。そのため、表示器３０は、表示内容に関する光を射出する表示部３０ａと、この表示部３０ａの周囲であり金属ベゼル３５で覆われた非表示部３０ｂとを有している。なお、金属ベゼル３５は、回路基板１４（図２）のＧＮＤ（グラウンド）と接続されている。これにより、表示器３０の前面側から高電圧が印加された場合でも、表示器３０の損傷が防止される。金属ベゼル３５は、例えば、電気亜鉛めっき鋼板（ＳＥＣＣ）から構成されている。なお、車両に搭載される表示装置１としては、振動に対する耐久性の観点から剛性の高い金属ベゼル３５付きのモジュールを採用することが適切である。しかしながら、金属ベゼル３５を有しないタイプのＴＦＴモジュールを用いても良い。
【００２２】
なお、本発明の第１の実施形態に係る表示装置１においては、図２に示すように、カバープレート２０（光透過部２３）と表示器３０との間に光学透明樹脂４０が介在している。光学透明樹脂４０は、カバープレート２０と表示器３０とを貼り合わせる（密着させる）ものである。この光学透明樹脂４０は、光学透明接着剤の液剤をカバープレート２０と表示器３０との間に充填させた後に硬化させることで形成してもよい。また、粘着シートである光学透明シートを光学透明樹脂４０として用いてもよい。なお、光学透明樹脂４０が接着する表示器３０の偏光板３４は、グレア防止処理、反射防止処理、傷防止処理、ＵＶ劣化防止処理等の表面処理が施されていることが好ましい。
【００２３】
光学透明樹脂４０として求められる要件は、次の通りである。まず、屈折率が、カバープレート２０の光透過部２３の屈折率と近いことが望まれる。これにより、光透過部２３から入射する外光が、光透過部２３と光学透明樹脂４０との界面で反射されるのを抑制することができる。また、光学透明樹脂４０は、高い透過率を有するのが望ましい。これにより、表示器３０から射出される光の輝度損失を少なくすることができる。また、貼り合わせをする表示器３０の表面付近（本実施形態においては偏光板３４及びガラス基板等）の線膨張係数とカバープレート２０の基材（上述したように、例えばポリカーボネート）の線膨張係数の違いにより生ずるズレを吸収できる程度の線膨張係数を有することが求められる。さらに、光学透明樹脂４０には、カバープレート２０と表示器３０とを確実に接着することができる接着力を有することが求められる。なお、光学透明樹脂４０の色調を暗色系のスモーク色調として、透過率を低く抑えるようにしてもよい。これにより、光透過部２３から発せられる光の輝度と、計器部６０から発せられる光の輝度とのバランスをとることができる。
【００２４】
このように、光学透明樹脂４０を介在させることにより、カバープレート２０と表示器３０との間に空気層を存在させずに、光透過部２３の屈折率と近い部材を配置することができる。そのため、光透過部２３の表面及び光学透明樹脂４０の表面での外光の反射を抑制することができる。これにより、外光の反射により表示器３０の表示が見えにくくなるという問題を解消することができる。
【００２５】
なお、表示器３０及び計器部６０が大きくなればなるほど、当然に、それらの視認性は高まることになる。本発明の第１の実施形態に係る表示装置１においては、より大きな矩形状の表示器３０及びを配置するために、図１、及び図２に示すように、計器部６０の構成要素であるリング状指標表示部２２の一部を、表示器３０にラップさせている。このような配置とすることにより、サイズの大きな矩形状の表示器３０を配置することができ、図１に示すように、光透過部２３の四隅２３ａの領域においても表示内容を表示させることができる。このように、四隅２３ａの領域は、計器部６０とリング状指標部２２をラップさせない構成では形成されることはない（表示器３０の表示部３０ａなどは、矩形状に限られるためである。）。このように、四隅２３ａの領域を形成することにより、単なる矩形状の表示だけではなく、多角形状の表示も可能となるなど、運転者に飽きさせることのない工夫を凝らした表示が可能となる。また、表示領域自体も大きく取ることができるため（表示器３０の表示部３０ａなどは、矩形状に限られるためである。）、表示器３０の表示内容の視認性を高めることもできる。
【００２６】
また、図２に示すカバープレート２０は、表面に凹凸等はなく平面状である。これにより、表示器３０の表面とカバープレート２０の光透過部２３との隙間、及び表示器３０の表面とリング状指標表示部２２との隙間は一定の間隔となる。そのため、均一の厚みを有する光学透明樹脂４０によって、カバープレート２０と表示器３０との貼り合わせが可能となる。
【００２７】
また、平面状のカバープレート２０であるため、光透過部２３とリング状指標表示部２２との段差は存在しない。そのため、表示器３０とカバープレート２０との境界を目立たなくすることができ、一体感のある見栄えを実現することができる。
【００２８】
なお、上記では、光学透明樹脂４０として光学透明シートを採用し得ると述べた。しかしながら、作業効率の観点からすると、金属ベゼル３５付きの表示器３０に対しては、金属ベゼル３５による段差を埋めるために、液状の光学透明接着剤を用いるのが好ましい。このような光学透明接着剤としては種々の種類のものが存在するが、ＵＶ硬化型接着剤を用いるのが作業効率の観点からすると好ましい。
【００２９】
次に、カバープレート２０と表示器３０とを貼り合わせるための方法について説明する。図４は、本発明の第１の実施形態に係る表示装置１のカバープレート２０と表示器３０とを接着するための２つの方法（（ａ）、（ｂ））を示した断面図、図５は、本発明の第１の実施形態に係る表示装置１の表示器３０の他の例を示した図であり、（ａ）は平面図、（ｂ）は部分斜視図である。
【００３０】
図４（ａ）に示すように、まず、カバープレート２０と表示器３０との隙間に、光学透明樹脂４０としてのＵＶ硬化型接着剤を充填する。続いて、ＵＶ光５０をカバープレート２０の光透過部２３を介してＵＶ硬化型接着剤に照射して、ＵＶ硬化型接着剤を硬化させる。これにより光学透明樹脂４０が形成され、カバープレート２０と表示器３０とが接着される。
【００３１】
なお、上述したように、本実施形態に係る表示装置１においては、リング状指標表示部２２の一部が表示器３０の一部にラップしている。そのため、光透過部２３を介してＵＶ光５０を照射したとしても、リング状指標表示部２２の直下にＵＶ光５０が届かずにＵＶ硬化型接着剤が十分に硬化しない場合がある。このような状況が想定される場合には、図４（ｂ）に示すように、表示器３０の表示部３０a（図３）がリング状指標表示部２２とラップする部分（以下、重なり領域）にスペーサ３６を形成して、ＵＶ光５０が届かない範囲に接着剤が充填されないように配慮することが好ましい。
【００３２】
図５（ａ）、（ｂ）に示すように、スペーサ３６は、平面視すると、重なり領域と合致する形状、すなわち、円の一部を切り出したような形状を有している。スペーサ３６は、ＡＢＳ樹脂、ポリプロピレン等の成形樹脂から構成してもよいし、金属ベゼル３５と同材質の電気亜鉛めっき鋼板（ＳＥＣＣ）から構成してもよい。このように、表示器３０にスペーサ３６を形成することにより、硬化不良の光学透明樹脂４０が形成されるのを防止することができる。
【００３３】
また、図６は、本発明の第１の実施形態に係る表示装置１のカバープレート２０と表示器３０とを接着するための他の方法を示した断面図である。この図に示すように、リング状指標表示部２２のリング部２４が絞り加工などによって立体的に成形されている場合であっても、スペーサ３６を設けることで、硬化不良の光学透明樹脂４０を形成することを防止することができる。このように、リング部２４が立体的に成形された場合であっても、その他のリング状指標表示部２２の部分は、光透過部２３と同一平面上に位置する。そのため、表示器３０とカバープレート２０の境界を目立たなくすることができ、一体感のある見栄えとすることが可能である。
【００３４】
なお、本実施形態の表示装置１のカバープレート２０に導光指標表示部を採用し、リング状指標表示部２２に印刷された内容を照明できるようにしてもよい。図７は、表示装置１のカバープレート２０に導光指標表示部を用いた本発明の第１の実施形態に係る表示装置１の部分断面図である。このカバープレート２０は、導光層２５と、導光層２５の両面に形成された反射層２６とを有する。導光層２５はポリカーボネートやアクリルガラス等の透明樹脂からなり、導光体として導光経路を形成する。反射層２６は、導光層２５よりも屈折率の低い材料で構成される。反射層２６は、例えば、メジウム印刷により形成される。表示装置１のカバープレート２０の側方に所定のＬＥＤなどの照明光源２７が設けられ、光源からの光は、カバープレート２０の側面２０ｂから入射して、導光指標表示部（カバープレート２０内）で導光される。
【００３５】
また、導光層２５は、屈折率が光学透明樹脂４０の屈折率よりも大きい材料から構成されている。このように、導光層２５の屈折率を光学透明樹脂４０の屈折率よりも大きくすることにより、図７に示すように反射層２６がない光透過部２３においても導光層２５に導かれた光は反射される。例えば、導光層２５を構成するポリカーボネートの屈折率が１．５９の場合、光学透明樹脂４０の屈折率は１．４５程度とする組合せが良い。このように、カバープレート２０に導光指標表示部を採用することにより、照明光源からの光が導光指標表示部に入射すると、導光層２５の中を光が反射していき、リング状指標表示部２２に印刷された指標を照明することが可能となる。リング状指標表示部２２では、光を透過する白色などの部分（例えば、指標、リング状指標表示部２２の輪郭などの部分）と、光を透過しない黒色などの部分（例えば、上記以外の部分）とが、カバープレート２０の板状部材の前方側の面に印刷などによって形成される。これによって、例えば、リング状指標表示部２２が照明されたときに、光を透過する部分と、透過しない部分とによって、指標や輪郭などを目立たせることができる。なお、光を透過する部分が、前記の重なり領域内にある場合には、スペーサを遮光性のものとするとよい。これによって、表示部３０ａから出射される光によって、重なり領域が照明されてしまい、光を透過する部分から光が漏れることを防止できる。
【００３６】
また、リング状指標表示部２２に形成された指標は、印刷などによる目盛意匠に限定されるものではない。例えば、リング状指標表示部の表面にあけられた穴に導光層２５が後方から前方へ突き抜けるようにすることで、目盛り等を表現してもよい。なお、本明細書において、前方とは運転者側の方向であり、例えば図２中の上方を表わす用語として用いる。後方という用語も同様であり、例えば図２中の下方を表わす用語として用いる。
【００３７】
次に、本発明の第２実施形態に係る表示装置について説明する。図８は、本発明の第２の実施形態に係る表示装置を示した部分断面図である。なお、本実施形態に係る表示装置は、上述した第１の実施形態に係る表示装置と共通する点も多い。そのため、以下の説明では、上記の実施形態と異なる点を中心に説明するとともに、同様の部材については同じ符号を付して説明する。
【００３８】
図８に示すように、カバープレート１２０は、絞り加工により形成された凸部であるリング部１２４を有する。このようなリング部１２４を、目盛や数字等が印刷された指標部１１０を取り囲むように形成することにより、指標部１１０の領域を強調することが可能となる。そのため、判読性に優れた表示装置１０１とすることができる。なお、カバープレート１２０は、ポリカーボネート等の光透過性を有する基層１１１の後方の面に、スクリーン印刷などによって遮蔽層１１２が形成されて構成されている。遮蔽層１１２は、多色による複層印刷や、グラデーション印刷などを組み合わせたものである。なお、遮蔽層１１２は、上記導光指標表示部の場合と同様に、例えば、指標や計器部１６０の輪郭に相当する箇所には、光を透過させつつも表示装置１０１内部が視認されないような、例えば、白色の層からなる印刷層を有している。その他の領域は、確実に光を遮蔽することができる、例えば、黒色の層からなる印刷層を有している。これにより、指標や計器部１６０の輪郭は、後述する導光板１１３に導かれた光により照明されて、その他の領域との明るさの違いが明確となる。そのため、運転者は確実に、計器部１６０における表示内容を視認することができる。なお、遮蔽層１１２が印刷されていないカバープレート１２０の部分は、表示器３０から射出された光を透過する光透過部１２３として機能する。なお、遮蔽層１１２は、基層１１１の前方の面に形成されていてもよい。
【００３９】
また、カバープレート１２０の指標部１１０及びリング部１２４の後方の面には、中ケース１３あるいはカバープレート１２０に保持された導光板１１３が配設されている。導光板１１３は、例えば、アクリルガラス等の透過性を有する樹脂から形成され、指標部１１０及びリング部１２４を均一にムラなく照明する為に、予め配設されたＬＥＤ光を導光する。なお、本実施形態に係る表示装置１０１においては、カバープレート１２０に凸状のリング部１２４が形成されているため、指標部１１０及びリング部１２４の後方に導光板１１３を収容するスペース（凹部）が形成される。このスペース（凹部）に導光板１１３が収容される。そのため、導光板１１３の後方の面を、光透過部１２３の後方の面よりも前方側に位置させることができる。あるいは、これらの面の位置を同一の位置としてもよい。このような構成とすることで、表示器３０とカバープレート１２０を近接させることができ、光学透明樹脂４０の厚みを薄くすることが可能となる。
【００４０】
また、本実施形態における表示装置１０１においては、カバープレート１２０を絞り加工することによりリング部１２４を形成している。そのため、製造する部材の数を少なくすることができ、カバープレート１２０を安価に製造することができる。
【００４１】
なお、光学透明樹脂４０は、図８に示すように、光透過部１２３に加え計器部１６０の一部にわたって介在し、カバープレート１２０と表示器３０とを接着する。光学透明樹脂４０の厚みは、表示器３０やカバープレート１２０の形状にもよるため、一律に決定付けられるものではない。しかしながら、おおよその目安としては、例えば、表示器３０が金属ベゼル３５により非表示部３０ｂ（図３）を有する場合は、光学透明樹脂４０の厚みを５００μｍ〜１５００μｍ程度とするのが好ましい。また、表示器３０が、非表示部３０ｂ（図３）を有さない場合、光学透明樹脂４０の厚みを５０μｍ〜５００μｍ程度とするのが好ましい。
【００４２】
また、本実施形態におけるカバープレート１２０は、第１の実施形態におけるカバープレート２０（図２）と異なり、後方の面に凹凸が存在する。また、表示器３０の前方側にも凹凸が存在する。そのため、カバープレート１２０と表示器３０とを接着する光学透明樹脂４０は、液状の接着剤から構成することが好ましい。液状の接着剤を用いる場合、表示器３０の接着面、カバープレート１２０の接着面のどちらか片面、もしくは両面に接着剤を塗布して、貼り合わせた後に硬化させる。なお、液状の接着剤としては、厚みのある光学透明樹脂４０を形成できるように、液状状態の粘度が２５００〜５０００ｍＰａ・ｓ程度有するものが好ましい。また、接着剤は、硬化後に、表示器３０の接着面である偏光板３４やカバープレート１２０の線膨張係数の違いによるズレを吸収し、かつ剥がれが発生しない程度の弾性、接着力を有する必要がある。
【００４３】
また、表示パネル（表示器３０）の表示部３０ａ（図３）と非表示部３０ｂ（図３）との隙間にシール材を充填することで、液状の接着剤がこの隙間に流れ込みことを防止することができる。また、シール材を、カバープレート１２０の光透過部１２３の外周に沿って塗布してもよい。このようなシール材としては、粘度が１５０００〜４５０００ｍＰａ・ｓ程度で、光学透明樹脂４０と同程度の透明性と屈折率を有するのが望ましい。これにより、シール材と光学透明樹脂４０との境界を目立たせなくすることができる。
【００４４】
また、図９は、本発明の第２の実施形態に係る表示装置の他の例を示した部分断面図である。図９に示すように、光学透明樹脂４０が設けられている範囲は、カバープレート１２０の光透過部１２３の範囲と略同一である。そのため、光学透明樹脂４０を平面視すると、カバープレート１２０の光透過部１２３と同様の形状を有しており、すなわち、図１に示された光透過部２３の形状と同様の形状をしている。なお、本例においても、図４に示したスペーサ３６を、表示器３０の表示部と計器部１６０との間に設けてもよい。これにより、硬化不良の光学透明樹脂４０が形成されるのを防止することができる。また、遮光性を有するスペーサを用いてもよい。これによって、表示器３０から出射される光によって、重なり領域が照明されてしまい、光を透過する部分から光が漏れることを防止できる。
【００４５】
次に、本発明の第３実施形態に係る表示装置について説明する。図１０は、本発明の第３の実施形態に係る表示装置２０１を示した部分断面図である。上述した第２の実施形態に係る表示装置１０１のカバープレート１２０は、絞り加工によりリング部１２４を有している。一方、本実施形態に係る表示装置２０１のカバープレート２２０自体は、リング部を有しておらず、別部材であるリング部２２４と組み合わされる。このように、リング部２２４をカバープレート２２０と異なる部材とすることで、カバープレート２２０が絞り加工ができない材料や厚みを有する場合においても、上述した第２実施形態と同様の効果を奏する表示装置２０１を実現することが可能となる。
【００４６】
以上、いくつかの実施形態について説明したが、本発明は上述の各実施形態に限定されるものではなく、各請求項に示した範囲内での種々の変更が可能である。すなわち、請求項に示した範囲内で適宜変更した技術的手段を組み合わせて得られる実施形態も、本発明の技術的範囲に含まれる。
【符号の説明】
【００４７】
１、１０１、２０１    表示装置
１０                  筐体
１１                  見返し
１２                  透明窓
１３                  中ケース
１４                  回路基板
１５                  指針
１６                  指針駆動手段
２０、１２０、２２０  カバープレート
２０ｂ                側面
２１                  光不透過部
２２                  リング状指標表示部
２２ａ                指標
２３、１２３、２２３  光透過部
２３ａ                四隅
２４、１２４、２２４  リング部
２５                  導光層
２６                  反射層
２７                  照明光源
３０                  表示器
３０ａ                表示部
３０ｂ                非表示部
３１                  導光板
３２                  光学シート
３３                  液晶アレイ
３４                  偏光板
３５                  金属ベゼル
３６                  スペーサ
４０                  光学透明樹脂
５０                  ＵＶ光
６０、１６０、２６０  計器部
１１０、２１０        指標部
１１１、２１１        基層
１１２、２１２        遮蔽層
１１３、２１３        導光板
【図１】
2014163755.tif 000003
【図２】
2014163755.tif 000004
【図３】
2014163755.tif 000005
【図４】
2014163755.tif 000006
【図５】
2014163755.tif 000007
【図６】
2014163755.tif 000008
【図７】
2014163755.tif 000009
【図８】
2014163755.tif 000010
【図９】
2014163755.tif 000011
【図１０】
2014163755.tif 000012